(57)【要約】【課題】発信側の端末のメディア表示能力と着信側の端末のメディア表示能力が異なる場合であっても、メッセージウェイティングサービスを実現できるようにしたサーバ装置を提供する。【解決手段】発信側のＳＩＰ端末Ｔ１からマルチメディアメッセージ及びＭＷ−ＩＤを受信した時に、メッセージ制御部１３において、マルチメディアメッセージとＭＷ−ＩＤとを対応付けてデータベース１４中の任意のメールボックスに記録すると共に、ＭＷ−ＩＤに含まれる着信側のＳＩＰ端末Ｔ２の宛先情報をＳＩＰサーバ部１２に問い合わせて着信側に対応するメディア表示能力とマルチメディアメッセージの種類とが一致するか否かを判定し、不一致である旨が判定された場合に、着信側のＳＩＰ端末Ｔ２に対しマルチメディアメッセージの保存場所、マルチメディアメッセージの種類及びＭＷ−ＩＤを通知するようにしている。【選択図】      図４
2010124419.tif 000002
【特許請求の範囲】
【請求項１】
複数の端末を接続可能で、発呼側の端末から送出され映像及び音声を含むマルチメディアメッセージを、複数のメールボックスのうちの任意のメールボックスに記録し、着呼側の端末からの再生指示に応じて、任意のメールボックスに記録されたマルチメディアメッセージを再生し前記着呼側の端末へ送出するサーバ装置において、
前記端末を特定する端末ＩＤと、前記端末が有するメディア表示能力とを対応付けた管理テーブルを記憶する記憶手段と、
発呼側の端末から前記マルチメディアメッセージと前記発呼側の端末の端末ＩＤ、前記マルチメディアメッセージの種類及び前記着呼側の端末の端末ＩＤを含むメッセージＩＤとが到来した時に、前記マルチメディアメッセージと前記メッセージＩＤとを対応付けて前記任意のメールボックスに記録する記録手段と、
前記メッセージＩＤに基づいて、前記管理テーブルを参照し、この参照結果に基づいて前記着呼側の端末に対応するメディア表示能力と前記マルチメディアメッセージの種類とが一致するか否かを判定する判定手段と、
この判定手段により不一致である旨が判定された場合に、前記着呼側の端末に対し前記マルチメディアメッセージを記録したメールボックスを示す保存場所、前記マルチメディアメッセージの種類及び前記メッセージＩＤを通知する制御手段とを具備したことを特徴とするサーバ装置。
【請求項２】
前記制御手段は、前記着呼側の端末に対し前記マルチメディアメッセージを記録したメールボックスを示す保存場所、前記マルチメディアメッセージの種類及び前記メッセージＩＤを音声により通知することを特徴とする請求項１記載のサーバ装置。
【請求項３】
前記制御手段は、前記着呼側の端末の電源オン時に、前記着呼側の端末に対し前記マルチメディアメッセージを記録したメールボックスを示す保存場所、前記マルチメディアメッセージの種類及び前記メッセージＩＤを通知することを特徴とする請求項１記載のサーバ装置。
【請求項４】
発呼側の端末から送出され映像及び音声を含むマルチメディアメッセージを、複数のメールボックスのうちの任意のメールボックスに記録し、着呼側の端末からの再生指示に応じて、任意のメールボックスに記録されたマルチメディアメッセージを再生し前記着呼側の端末へ送出するサーバ装置に対し通信ネットワークを介して接続可能な端末装置において、
端末間の接続要求が発生し、かつ通信相手側の端末が着信不可能な時、前記マルチメディアメッセージと前記発呼側の端末の端末ＩＤ、前記マルチメディアメッセージの種類及び前記着呼側の端末の端末ＩＤを含むメッセージＩＤとを対応付けて前記サーバ装置の任意のメールボックスに記録する記録手段と、
前記通信相手側の端末からメディア表示能力を示す情報を取得する取得手段と、
この取得手段により得られたメディア表示能力を示す情報と前記通信相手側に送信すべくマルチメディアメッセージの種類とが一致するか否かを判定する判定手段と、
この判定手段により不一致である旨が判定された場合に、前記通信相手側の端末に対し前記マルチメディアメッセージを記録したメールボックスを示す保存場所、前記マルチメディアメッセージの種類及び前記メッセージＩＤを通知する制御手段とを具備したことを特徴とする端末装置。
【請求項５】
前記制御手段は、前記着呼側の端末に対し前記マルチメディアメッセージを記録したメールボックスを示す保存場所、前記マルチメディアメッセージの種類及び前記メッセージＩＤを音声により通知することを特徴とする請求項４記載の端末装置。
【請求項６】
複数の端末を接続可能で、発呼側の端末から送出され映像及び音声を含むマルチメディアメッセージを、複数のメールボックスのうちの任意のメールボックスに記録し、着呼側の端末からの再生指示に応じて、任意のメールボックスに記録されたマルチメディアメッセージを再生し前記着呼側の端末へ送出するサーバ装置で使用されるメッセージ通知制御方法において、
前記端末を特定する端末ＩＤと、前記端末が有するメディア表示能力とを対応付けた管理テーブルをメモリに記憶し、
発呼側の端末から前記マルチメディアメッセージと前記発呼側の端末の端末ＩＤ、前記マルチメディアメッセージの種類及び前記着呼側の端末の端末ＩＤを含むメッセージＩＤとが到来した時に、前記マルチメディアメッセージと前記メッセージＩＤとを対応付けて前記任意のメールボックスに記録し、
前記メッセージＩＤに基づいて、前記管理テーブルを参照し、この参照結果に基づいて前記着呼側の端末に対応するメディア表示能力と前記マルチメディアメッセージの種類とが一致するか否かを判定し、
不一致である旨が判定された場合に、前記着呼側の端末に対し前記マルチメディアメッセージを記録したメールボックスを示す保存場所、前記マルチメディアメッセージの種類及び前記メッセージＩＤを通知するようにしたことを特徴とするメッセージ通知制御方法。
【発明の詳細な説明】
【技術分野】
【０００１】
この発明は、発呼者からの音声、静止画及び動画を含むマルチメディアメッセージを任意のメールボックスに記録し、また任意のメールボックスからマルチメディアメッセージを再生するサーバ装置、端末装置及びメッセージ通知制御方法に関する。
【背景技術】
【０００２】
近年、ＩＰ(Internet Protocol)網を介して、双方向に画像や音声をパケットデータとして、リアルタイムに送受信するＩＰ電話システムが普及し始めている。このＩＰ電話システムであっては、着信側の端末が通話中や離席等により不応答である場合に、例えば発信側の端末から着信側の端末に着信する呼びをボイスメール装置に転送するようなサービスも考えられている。このサービスは、メッセージウェイティング（以下ＭＷと称する）サービスと称され、着信者の不在時に発信者からの着信やボイスメール装置への録音があった場合、それを着信者に知らせるために、着信側の端末上のＬＣＤやＬＥＤにその旨の表示を行うサービスである。この場合、文字情報だけでなく、静止画や動画の表示を行うことも可能である。
【０００３】
ところで、上記ＭＷサービスでは、以下の場合には、提供できなくなる。  
（１）マルチメディア非対応内線端末では、発信者が希望する情報、例えば静止画、動画などをＭＷと連動させて表示することはできない。  
（２）マルチメディア対応内線端末であっても、自身の表示能力が対応していなければ、発信者からのマルチメディアメッセージを表示することができない。
【０００４】
なお、従来では、マルチメディアメールボックスのサービス提供方法において、受信者の端末のタイプとサービス能力を送信者が把握して、マルチメディアメッセージを適正に送信する手法も提案されている（例えば、特許文献１）。
【特許文献１】特開２００５−１３６９９３公報。
【発明の開示】
【発明が解決しようとする課題】
【０００５】
ところで、上記手法では、送信者側で受信者の端末のタイプとサービス能力を予め把握しておく必要があり、例えば受信者の端末のタイプ及びサービス能力に変更があった場合には対応することができない。
【０００６】
そこで、この発明の目的は、発信側の端末のメディア表示能力と着信側の端末のメディア表示能力が異なる場合であっても、メッセージウェイティングサービスを実現できるようにしたサーバ装置、端末装置及びメッセージ通知制御方法を提供することにある。
【課題を解決するための手段】
【０００７】
上記目的を達成するために、この発明に係るサーバ装置は、複数の端末を接続可能で、発呼側の端末から送出され映像及び音声を含むマルチメディアメッセージを、複数のメールボックスのうちの任意のメールボックスに記録し、着呼側の端末からの再生指示に応じて、任意のメールボックスに記録されたマルチメディアメッセージを再生し着呼側の端末へ送出するサーバ装置において、端末を特定する端末ＩＤと、端末が有するメディア表示能力とを対応付けた管理テーブルを記憶する記憶手段と、発呼側の端末からマルチメディアメッセージと発呼側の端末の端末ＩＤ、マルチメディアメッセージの種類及び着呼側の端末の端末ＩＤを含むメッセージＩＤとが到来した時に、マルチメディアメッセージとメッセージＩＤとを対応付けて任意のメールボックスに記録する記録手段と、メッセージＩＤに基づいて、管理テーブルを参照し、この参照結果に基づいて着呼側の端末に対応するメディア表示能力とマルチメディアメッセージの種類とが一致するか否かを判定する判定手段と、この判定手段により不一致である旨が判定された場合に、着呼側の端末に対しマルチメディアメッセージを記録したメールボックスを示す保存場所、マルチメディアメッセージの種類及びメッセージＩＤを通知する制御手段とを備えるようにしたものである。
【０００８】
この構成によれば、端末を特定する端末ＩＤと、端末が有するメディア表示能力とを対応付けた管理テーブルをメモリに記憶して管理しておき、マルチメディアメッセージ及びメッセージＩＤを受信した時に、マルチメディアメッセージとメッセージＩＤとを対応付けて任意のメールボックスに記録すると共に、メッセージＩＤに含まれる着呼側の端末の端末ＩＤに基づき管理テーブルを参照して着呼側に対応するメディア表示能力とマルチメディアメッセージの種類とが一致するか否かを判定し、不一致である旨が判定された場合に、着呼側の端末に対しマルチメディアメッセージの保存場所（ＵＲＬ）、マルチメディアメッセージの種類及びメッセージＩＤが通知されることになる。
【０００９】
従って、ＭＷ発信者からのマルチメディアメッセージに、ＭＷ受信者の表示能力が対応していなくても、その保存場所とメディア種別をＭＷ受信者に通知することにより、ＭＷ受信者のユーザは別の手段（例えばパーソナル・コンピュータ）を用いてそのメッセージを受け取ることができる。また、サーバ装置がマルチメディアメッセージを保存するので、ＭＷ受信者の端末の記憶領域の使用量を低減させることができる。
【００１０】
制御手段は、着呼側の端末に対しマルチメディアメッセージを記録したメールボックスを示す保存場所、マルチメディアメッセージの種類及びメッセージＩＤを音声により通知する。
【００１１】
この構成によれば、ユーザは端末により例えば不在時等に着信があった旨と発信者等の必要な情報を音声により聞くことができる。
【００１２】
また、この発明に係る端末装置は、発呼側の端末から送出され映像及び音声を含むマルチメディアメッセージを、複数のメールボックスのうちの任意のメールボックスに記録し、着呼側の端末からの再生指示に応じて、任意のメールボックスに記録されたマルチメディアメッセージを再生し前記着呼側の端末へ送出するサーバ装置に対し通信ネットワークを介して接続可能な端末装置において、端末間の接続要求が発生し、かつ通信相手側の端末が着信不可能な時、マルチメディアメッセージと発呼側の端末の端末ＩＤ、マルチメディアメッセージの種類及び着呼側の端末の端末ＩＤを含むメッセージＩＤとを対応付けて前記サーバ装置の任意のメールボックスに記録する記録手段と、通信相手側の端末からメディア表示能力を示す情報を取得する取得手段と、この取得手段により得られたメディア表示能力を示す情報と通信相手側に送信すべくマルチメディアメッセージの種類とが一致するか否かを判定する判定手段と、この判定手段により不一致である旨が判定された場合に、通信相手側の端末に対しマルチメディアメッセージを記録したメールボックスを示す保存場所、マルチメディアメッセージの種類及びメッセージＩＤを通知する制御手段とを備えるようにしたものである。
【００１３】
この構成によれば、通信相手側の端末のメディア表示能力を示す情報の取得、メデイア種別の判定、マルチメディアメッセージの保存場所、マルチメディアメッセージの種類及びメッセージＩＤの通知が端末装置にて実行されることになるので、その分、サーバ装置の処理負担が軽減される。
【発明の効果】
【００１４】
以上詳述したようにこの発明によれば、発信側の端末のメディア表示能力と着信側の端末のメディア表示能力が異なる場合であっても、メッセージウェイティングサービスを実現できるようにしたサーバ装置、端末装置及びメッセージ通知制御方法を提供することができる。
【発明を実施するための最良の形態】
【００１５】
以下、この発明の実施形態について図面を参照して詳細に説明する。  
（第１の実施形態）  
図１は、この発明の第１の実施形態に係わるＳＩＰ（Session Initiation Protocol）を用いたＶＯＩＰ(Voice over Internet Protocol)電話システムの概略構成図であり、ＳＶはサーバ装置としてのメッセージサーバを示している。
【００１６】
このメッセージサーバＳＶは、ＳＩＰ網ＮＷを介して複数のＳＩＰ端末Ｔ１〜Ｔｎ（ｎは自然数）を収容している。
【００１７】
図２は、上記メッセージサーバＳＶの機能構成を示すブロック図である。  
メッセージサーバＳＶは、インタフェース部（Ｉ／Ｆ）１１と、ＳＩＰサーバ部１２と、メッセージ制御部１３と、データベース１４とを備えている。このうち、インタフェース部１１は、ＳＩＰ網ＮＷとの間のインタフェース処理を行うものである。
【００１８】
ＳＩＰサーバ部１２は、各ＳＩＰ端末Ｔ１〜Ｔｎの発呼要求に伴う発信処理や、ＳＩＰ網ＮＷまたは公衆網（図示せず）からの着信に伴う着信処理、ＳＩＰ端末Ｔ１〜Ｔｎ間の転送処理等の通常の制御機能に加えて、メディア管理テーブル１２１を備えている。
【００１９】
メディア管理テーブル１２１には、図３に示すように、各ＳＩＰ端末Ｔ１〜Ｔｎを特定する端末識別子とメディア表示能力との対応関係を表すデータが格納されている。
【００２０】
データベース１４は、複数のメールボックスを有しており、発呼者からの動画、静止画、音声を含むマルチメディアメッセージを任意のメールボックスに蓄積するものである。
【００２１】
メッセージ制御部１３は、ＳＩＰサーバ部１２により着信先のＳＩＰ端末Ｔ１が着信不応答と判定された場合に、発信元と接続され、これにより所定のアナウンスメッセージを発信元へ送出させるように制御するものである。
【００２２】
ところで、この第１の実施形態のメッセージ制御部１３は、メッセージ記録部１３１と、判定部１３２と、通知部１３３とを備えている。メッセージ記録部１３１は、着信側が不応答で、発信側のＳＩＰ端末Ｔ１からマルチメディアメッセージとＭＷ−ＩＤとが到来した時に、これらマルチメディアメッセージとメッセージＩＤとを対応付けてデータベース１４中の任意のメールボックスに記録する。このＭＷ−ＩＤには、発信側のＳＩＰ端末Ｔ１の端末識別子、送られてくるマルチメディアメッセージの種類及び着信側のＳＩＰ端末Ｔ２の端末識別子が含まれる。
【００２３】
判定部１３２は、ＭＷ−ＩＤに基づいて、ＳＩＰサーバ部１２に対し着信側のＳＩＰ端末Ｔ２のメディア表示能力の問い合わせを行い、この問い合わせに対しＳＩＰサーバ部１２から返送される着信側のＳＩＰ端末Ｔ２に対応するメディア表示能力とマルチメディアメッセージの種類とが一致するか否かを判定する。
【００２４】
通知部１３３は、上記判定部１３２により不一致である旨が判定された場合に、着信側のＳＩＰ端末Ｔ２に対しマルチメディアメッセージを記録したメールボックスを示す保存場所（ＵＲＬ等）、マルチメディアメッセージの種類及びＭＷ−ＩＤを通知する。
【００２５】
次に、以上のように構成されたＶＯＩＰ電話システムの動作を説明する。  
図４は、例えばメッセージ通知制御を実行する際のＳＩＰ端末Ｔ１，Ｔ２と、ＳＩＰサーバ部１２とメッセージ制御部１３との間における情報の送受信動作を示す概略シーケンス図である。図５は、メッセージ通知制御を実行する際のメッセージ制御部１３の制御手順を示すフローチャートである。
【００２６】
ここでは、ＭＷと連動させるマルチメディアメッセージとしてテキストメッセージを送信する場合について述べる。着信側となるＳＩＰ端末Ｔ２は、発信側となるＳＩＰ端末Ｔ１からのＭＷ登録時には電源ＯＦＦ状態であることを想定している。
【００２７】
ＳＩＰ端末Ｔ１のユーザは、ＳＩＰ端末Ｔ２のユーザに緊急の要件で電話をかけるが、ＳＩＰ端末Ｔ２のデバイスの電源がはいっていないため、失敗する(Ｆ１〜Ｆ３)。そこで、ＳＩＰ端末Ｔ１のユーザは、動画メッセージ"Exmaple.mpg"を作成し、ＭＷの登録操作を行う。
【００２８】
ＳＩＰ端末Ｔ１はまず、ＳＩＰサーバ部１２に対してＭＷの登録を要求するためにＰＵＢＬＩＳＨ(Ｆ４)を送信する。ＳＩＰサーバ部１２は、ＭＷ登録を受け付けたことをＮＯＴＩＦＹ(Ｆ６)でＳＩＰ端末Ｔ１に通知する。このとき、ＮＯＴＩＦＹのボディ部分にＭＷ−ＩＤを設定しておく。この時点で、ＳＩＰ端末Ｔ２はＲＥＧＩＳＴＥＲされていないため、ＳＩＰ端末Ｔ２に対してはＭＷを通知することができない。
【００２９】
ＳＩＰ端末Ｔ１は次に、作成された動画メッセージをＭＥＳＳＡＧＥ(Ｆ８)でメッセージ制御部１３に通知する。このとき、ＭＥＳＳＡＧＥのボディ部分に、マルチパートボディを用いてＭＷ−ＩＤも設定しておく。
【００３０】
メッセージ制御部１３は、動画メッセージ及びＭＷ−ＩＤを受信すると（ステップＳＴ５ａ）、ＯＰＴＩＯＮＳ(Ｆ１０)でＳＩＰ端末Ｔ２の宛先情報（メディア表示能力含む）をＳＩＰサーバ部１２に問い合わせるが、宛先不存在が返されるため、ＳＩＰ端末Ｔ２には動画メッセージを通知することができない。メッセージ制御部１３は、動画メッセージとＭＷ−ＩＤを関連付けて、内部のデータベース１４中の任意のメールボックスに保存する。
【００３１】
その後、ＳＩＰ端末Ｔ２がＲＥＧＩＳＴＥＲ(Ｆ１２)により、位置情報とメディア表示能力をＳＩＰサーバ部１２に登録する。さらに、ＭＷ通知を受信するためのサブスクリプション生成のためのＳＵＢＳＣＲＩＢＥ(Ｆ１４)をＳＩＰサーバ部１２へ送信する。
【００３２】
ＳＩＰサーバ部１２は、ＳＩＰ端末Ｔ２が起動したため、ＳＩＰ端末Ｔ２にＭＷが登録されているかどうかを調べる。ＳＩＰ端末Ｔ１からのＭＷが登録されているため、ＮＯＴＩＦＹ(Ｆ１６)によりＭＷ-ＩＤとＭＷ情報をＳＩＰ端末Ｔ２に通知する。さらに、ＮＯＴＩＦＹ(Ｆ１８)でメッセージ制御部１３に対してＭＷ−ＩＤを通知することにより、メッセージ制御部１３にもＳＩＰ端末Ｔ２が起動したことを通知する。
【００３３】
ＳＩＰ端末Ｔ２は、ＮＯＴＩＦＹ(Ｆ１６)を受け、自身のデバイス上にＭＷ表示を行う。
【００３４】
メッセージ制御部１３は、通知されたＭＷ-ＩＤに基づいてＳＩＰサーバ部１２からＳＩＰ端末Ｔ２の宛先情報を取得し（ステップＳＴ５ｃ）、ＳＩＰ端末Ｔ２は位置情報登録済みであるか否かの判断を行う（ステップＳＴ５ｄ）。ここでは、位置情報登録済みであるので、通知されたＭＷ−ＩＤと同じＭＷ-ＩＤを持つメッセージをデータベース１４から検索し、ＳＩＰ端末Ｔ１からの動画メッセージを取り出す。
【００３５】
次に、メッセージ制御部１３はＳＩＰサーバ部１２に対しＯＰＴＩＯＮＳ(Ｆ２０)でＳＩＰ端末Ｔ２の宛先情報（メディア表示能力含む）を問い合わせ、その結果、拡張子がtxtとjpgであるメディアが利用可能であり、ＳＩＰ端末Ｔ２は動画を再生できないことが分かる。そこで、メッセージ制御部１３は、ステップＳＴ５ｅからステップＳＴ５ｆに移行してここでＭＥＳＳＡＧＥ(Ｆ２２)によりＭＷ−ＩＤとともに動画メッセージの保存場所を送信する。
【００３６】
一方、例えば着信側がＳＩＰ端末Ｔ３であり、全ての動画が再生できるタイプであれば、メッセージ制御部１３はステップＳＴ５ｅからステップＳＴ５ｇに移行してここでＳＩＰ端末Ｔ３へ動画メッセージとＭＷ−ＩＤを送信する。
【００３７】
以上のように上記第１の実施形態では、ＳＩＰサーバ部１２において、各ＳＩＰ端末Ｔ１〜Ｔｎを特定する端末識別子と、ＳＩＰ端末Ｔ１〜Ｔｎが有するメディア表示能力とを対応付けたメディア管理テーブル１２１を記憶して管理しておき、発信側のＳＩＰ端末Ｔ１からマルチメディアメッセージ及びＭＷ−ＩＤを受信した時に、メッセージ制御部１３において、マルチメディアメッセージとＭＷ−ＩＤとを対応付けてデータベース１４中の任意のメールボックスに記録すると共に、ＭＷ−ＩＤに含まれる着信側のＳＩＰ端末Ｔ２の宛先情報をＳＩＰサーバ部１２に問い合わせて着信側に対応するメディア表示能力とマルチメディアメッセージの種類とが一致するか否かを判定し、不一致である旨が判定された場合に、着信側のＳＩＰ端末Ｔ２に対しマルチメディアメッセージの保存場所（ＵＲＬ）、マルチメディアメッセージの種類及びＭＷ−ＩＤを通知するようにしている。
【００３８】
従って、ＭＷ発信者からのマルチメディアメッセージに、ＭＷ受信者の表示能力が対応していなくても、その保存場所とメディア種別をＭＷ受信者に通知することにより、ＭＷ受信者のユーザは別の手段（例えばパーソナル・コンピュータ）を用いてそのメッセージを受け取ることができる。また、メッセージサーバＳＶがマルチメディアメッセージを保存するので、ＭＷ受信者の端末の記憶領域の使用量を低減させることができる。
【００３９】
また、上記第１の実施形態では、音声ガイダンスにより着信側のＳＩＰ端末Ｔ２に対しマルチメディアメッセージの保存場所（ＵＲＬ）、マルチメディアメッセージの種類及びＭＷ−ＩＤを通知することもできるので、ＳＩＰ端末Ｔ２のユーザは例えば不在時等に着信があった旨と発信者等の必要な情報を音声により聞くことができる。
【００４０】
（第２の実施形態）  
この発明の第２の実施形態は、通信相手側の端末のメディア表示能力を示す情報の取得、メデイア種別の判定、マルチメディアメッセージの保存場所、マルチメディアメッセージの種類及びＭＷ−ＩＤの通知を、各ＳＩＰ端末Ｔ１〜Ｔｎで実現できるようにしたものである。
【００４１】
図６は、この発明の第２の実施形態に係るＳＩＰ端末の機能構成を示す。ここでは、ＳＩＰ端末Ｔ１を代表して説明する。
【００４２】
ＳＩＰ端末Ｔ１は、メッセージ記録部２１と、メディア表示能力取得部２２と、判定部２３と、通知部２４とを備えている。メッセージ記録部２１は、例えばＳＩＰ端末Ｔ２へ発信を行い、かつＳＩＰ端末Ｔ２が着信不可能な時、マルチメディアメッセージとＭＷ−ＩＤとを対応付けてメッセージサーバＳＶのデータベース１４中の任意のメールボックスに記録する。
【００４３】
メディア表示能力取得部２２は、ＳＩＰ端末Ｔ２との間のネゴシエーションによりＳＩＰ端末Ｔ２からメディア表示能力を示す情報を取得する。
【００４４】
判定部２３は、上記メディア表示能力取得部２２により得られたメディア表示能力を示す情報とＳＩＰ端末Ｔ２に送信すべくマルチメディアメッセージの種類とが一致するか否かを判定する。
【００４５】
通知部２４は、上記判定部２３により不一致である旨が判定された場合に、ＳＩＰ端末Ｔ２に対しマルチメディアメッセージの保存場所、マルチメディアメッセージの種類及びＭＷ−ＩＤを通知する。
【００４６】
以上のように上記第２の実施形態では、通信相手側となるＳＩＰ端末Ｔ２のメディア表示能力を示す情報の取得、メデイア種別の判定、マルチメディアメッセージの保存場所、マルチメディアメッセージの種類及びＭＷ−ＩＤの通知が全てＳＩＰ端末Ｔ１にて実行されることになるので、その分、メディアサーバＳＶの処理負担を軽減できる。
【００４７】
また、第２の実施形態であっても、上記第１の実施形態と同様に、音声ガイダンスにより着信側のＳＩＰ端末Ｔ２に対しマルチメディアメッセージの保存場所（ＵＲＬ）、マルチメディアメッセージの種類及びＭＷ−ＩＤを通知するようにしてもよい。
【００４８】
（その他の実施形態）  
この発明は、上記各実施形態に限定されるものではない。例えば、上記各実施形態では、ＳＩＰを例にとって説明したが、ＳＩＰ以外にも例えばＭＥＧＡＣＯなどに適用するものであってもよい。
【００４９】
また、各実施形態では、着信側のＳＩＰ端末Ｔ２に対しマルチメディアメッセージの保存場所としてＵＲＬを通知する例について説明したが、ディレクトリパスを通知するようにしてもよい。
【００５０】
その他、メディアサーバの構成及び種類、端末の種類、マルチメディアメッセージの種類、メッセージ通知制御方法等についても、この発明の要旨を逸脱しない範囲で種々変形して実施できる。
【図面の簡単な説明】
【００５１】
【図１】この発明の第１の実施形態に係わるＳＩＰを用いたＶＯＩＰ電話システムの概略構成図。
【図２】上記図１に示したメッセージサーバの機能構成を示すブロック図。
【図３】上記図２に示したメディア管理テーブルの記憶内容の一例を示す図。
【図４】同第１の実施形態におけるメッセージ通知制御を実行する際のＳＩＰ端末と、ＳＩＰサーバ部とメッセージ制御部との間における情報の送受信動作を示す概略シーケンス図。
【図５】同第１の実施形態におけるメッセージ通知制御を実行する際のメッセージ制御部の制御手順を示すフローチャート。
【図６】この発明の第２の実施形態に係るＳＩＰ端末の機能構成を示すブロック図。
【符号の説明】
【００５２】
１１…インタフェース部、１２…ＳＩＰサーバ部、１３…メッセージ制御部、１４…データベース、１２１…メディア管理テーブル、１３１…メッセージ記録部、１３２…判定部、１３３…通知部、Ｔ１〜Ｔｎ…ＳＩＰ端末、ＮＷ…ＳＩＰ網、ＳＶ…メディアサーバ。
【図１】
2010124419.tif 000003
【図２】
2010124419.tif 000004
【図３】
2010124419.tif 000005
【図４】
2010124419.tif 000006
【図５】
2010124419.tif 000007
【図６】
2010124419.tif 000008